(57)【特許請求の範囲】
【請求項１】
マスターユニットとスレーブユニットを設け、両ユニットの自動点検にはマスターユニットはリトライ機能を有して自身の点検処理と異常部位の出力をした後、スレーブユニットに対してリトライ機能を有して点検起動指令を送信し、スレーブユニットは点検処理で異常があるときに異常部位をユニット内で出力すると共にマスターユニットに点検結果を送信する保護継電システムにおいて、
前記マスターユニットは、前記スレーブユニットの点検起動指令として、スレーブユニットに異常がある場合にその異常部位を表示しない指令Ａと表示する指令Ｂの２種類の点検起動指令を送信できる手段を備え、
前記スレーブユニットは、点検処理で異常がある場合、前記点検起動指令に応じて、異常部位を出力または異常部位を出力しない手段を備えたことを特徴とする保護継電システム。
【発明の詳細な説明】
【０００１】
【発明の属する技術分野】
本発明は、ディジタル形保護継電システムに係り、特にマスターユニットとスレーブユニットをリトライ機能を有して自動点検する際の異常部位表示方式に関する。
【０００２】
【従来の技術】
ディジタル形保護継電システムは、電力系統などの保護対象からの検出信号をディジタル信号に変換し、このディジタル信号等をデータとしてマイクロコンピュータでディジタル保護演算を行い、保護対象の事故検出ではしゃ断器のトリップなどの保護出力を得る。
【０００３】
一般に、保護継電システムは、主検出リレー機能と事故検出リレー機能とを有し、両機能がユニット構成される。また、保護継電システムは、保護機能の他に、保護動作の信頼性を高めるための自動・手動の点検機能を設ける。
【０００４】
図４は、ディジタル形保護継電システムの構成を示す。マスターユニット１とスレーブユニット２は、例えば、主検出リレーユニットと事故検出リレーユニットになり、それぞれの保護演算結果でしゃ断器のトリップ信号を発生する。
【０００５】
ここで、点検機能は、例えばマスターユニット１が点検の主導権を持ち、点検開始入力や点検結果表示等をパネル３で行う。スレーブユニット２は、マスターユニット１からの点検起動指令で自ユニットの点検を行い、点検結果をマスターユニット１に返す。また、点検で異常が発生した場合に一定時間後に再度の点検を行うリトライ機能を設けている。
【０００６】
図５は、正常時の点検タイムチャートを示し、一定周期・時刻による自動点検または手動点検による点検起動で点検処理モードに入り、まずマスターユニット１が自ユニットの点検を行い、その後にスレーブユニット２の点検起動の確認で、スレーブユニット２が自ユニットの点検を行う。
【０００７】
図６は、自動点検においてマスターユニット１側に異常がある場合のリトライ処理を含むタイムチャートを示す。点検起動で１回目の点検を開始し、マスターユニット１の点検を行い、この点検でマスターユニット１に異常があるときに、スレーブユニット２の点検を実施することなく、リトライ時間Ｔｒ後にマスターユニット１の２回目の点検処理を行う。この２回目の点検でも異常があるときにマスターユニット１がパネル３に異常出力を行う。
【０００８】
図７は、自動点検においてスレーブユニット２側に異常がある場合のリトライ処理を含むタイムチャートを示す。１回目の点検でマスターユニット１は正常で、スレーブユニット２が異常の場合、リトライ時間Ｔｒ後の２回目の点検にはスレーブユニット２のみの点検を行う。この点検でスレーブユニット２が再度異常であるときにマスターユニット１が異常出力を行う。
【０００９】
【発明が解決しようとする課題】
従来の点検方式において、マスターユニット１は、点検異常の外部出力をパネル３等に行うが、マスターユニット１とスレーブユニット２は、それぞれがユニット化で分離構成され、その間の信号ライン数に制約があり、信号のやり取りには数種類の少ない情報に制限される。
【００１０】
このため、スレーブユニット２が異常の場合、検出点数が多数になったり、詳細な異常部位を表示するには、その情報をマスターユニット１に転送できず、詳細な異常情報はスレーブユニット２側に表示するようにしている。
【００１１】
図８は、マスターユニット１とスレーブユニット２との間の信号のやり取りを示す。マスターユニット１からスレーブユニット２に送られる信号は、点検起動信号のみである。スレーブユニット２からマスターユニット１に送られる信号は、マスターユニット１側の起動確認のための点検中信号と、点検結果としての装置正常／異常の信号になる。
【００１２】
このような信号のやり取りにおいて、スレーブユニット２は、マスターユニット１からの点検起動指令が１回目のものか、２回目のリトライでのものかを判断できないため、自身に異常があるときには異常の部位表示を毎回実施する。
【００１３】
ここで、スレーブユニット２に異常があり、点検途中に事故対応や装置異常で点検が中断された場合、マスターユニット１では異常なしの出力を行うが、スレーブユニット２に異常部位表示が残ってしまう問題がある。
【００１４】
例えば、点検中に点検対象外のユニット（マスターユニットを点検中のスレーブユニット、スレーブユニットを点検中のマスターユニット）で保護リレー動作が発生した場合、又はリトライ待機時間Ｔｒ中に保護リレー動作が発生した場合、点検を中断して事故対応の保護動作に入る。また、リトライ待機時間Ｔｒ中に点検以外の自動監視で異常を検出したときに点検を中断して装置異常の動作に入る。このような点検中断の発生により、スレーブユニット２に異常がある場合に不要な詳細異常情報がスレーブユニット２に残ってしまい、マスターユニット１には異常なしの出力になってしまい、ユニット間に点検結果の整合が得られない。
【００１５】
なお、リトライ点検をしない手動点検やリトライ機能を持たない自動点検では、１回のみの点検になり、上記の不都合は発生しない。
【００１６】
本発明の目的は、リトライ機能を持たせた自動点検において、点検中断による点検結果の不整合を無くすことができる保護継電システムを提供することにある。
【００１７】
【課題を解決するための手段】
本発明は、前記課題を解決するため、マスターユニットからスレーブユニットへの点検起動指令として、スレーブユニットに異常部位を表示させる点検起動指令Ａと、異常部位を表示させない点検起動指令Ｂの２種類の指令Ａ，Ｂを使い分けて送信し、スレーブユニットでは異常がある場合にも指令Ａでは異常部位を表示せず、指令Ｂの場合に異常部位を表示するようにしたもので、以下の構成を特徴とする。
【００１８】
マスターユニットとスレーブユニットを設け、両ユニットの自動点検にはマスターユニットはリトライ機能を有して自身の点検処理と異常部位の出力をした後、スレーブユニットに対してリトライ機能を有して点検起動指令を送信し、スレーブユニットは点検処理で異常があるときに異常部位をユニット内で出力すると共にマスターユニットに点検結果を送信する保護継電システムにおいて、
前記マスターユニットは、前記スレーブユニットの点検起動指令として、スレーブユニットに異常がある場合にその異常部位を表示しない指令Ａと表示する指令Ｂの２種類の点検起動指令を送信できる手段を備え、
前記スレーブユニットは、点検処理で異常がある場合、前記点検起動指令に応じて、異常部位を出力または異常部位を出力しない手段を備えたことを特徴とする。
【００１９】
【発明の実施の形態】
図１は、本発明の実施形態を示す信号ライン構成を示す。マスターユニット１からスレーブユニット２への点検起動指令は、指令Ａと指令Ｂの２種類のものにする。点検起動指令Ａは、スレーブユニット２に異常がある場合にも異常部位表示をしないモードを指定する。点検起動指令Ｂは、スレーブユニット２に異常がある場合に異常部位表示をするモードを指定する。
【００２０】
この構成による点検タイムチャートを図２に示す。同図は、スレーブユニット２に点検異常がある場合である。
【００２１】
マスターユニット１は、リトライモードでの自動点検処理には、自ユニットの点検を行い、この点検が正常のときにスレーブユニット２の点検に入る。１回目の点検には点検起動指令Ａをスレーブユニット２を送信し、スレーブユニット２は指令Ａによる点検を行う。この点検では異常がある場合にも異常部位を表示することなくマスターユニット１に装置異常の送信をするか、または装置正常の送信を行わない。
【００２２】
マスターユニット１は、指令Ａの送信に対するスレーブユニット２からの信号でスレーブユニット２の異常を判断したとき、リトライ時間Ｔｒ待機後にスレーブユニット２に指令Ｂを送信する。スレーブユニット２は、指令Ｂによる点検を行い、異常があるときは異常部位表示を行うと共にマスターユニット１に異常信号を送信する。
【００２３】
このように、マスターユニット１は、スレーブユニット２に対して、２種類の起動点検指令Ａ，Ｂを使い分けた送信をすることにより、点検中断が起きた場合にも、両ユニット間に点検結果の不整合を無くすことができる。また、異常部位の表示内容が２回目の点検での異常部位として取り扱うことができる。
【００２４】
なお、リトライモードでない点検の場合は、マスターユニット１が起動点検指令Ｂのみを送信することにより、スレーブユニット２に異常がある場合にその異常部位を表示することができる。
【００２５】
図３は、スレーブユニット２の点検処理フローチャートを示す。マスターユニット１側は、点検起動時にリトライモードであるか否かをチェックし（Ｓ１，Ｓ２）、リトライモードでは異常部位を表示しない点検起動指令Ａを出力し（Ｓ３）、この指令に対してスレーブユニット２に異常があると判定したとき（Ｓ４）、またはリトライモードでないとき（Ｓ２）に異常部位を表示する点検起動指令Ｂを出力する（Ｓ５）。この点検指令でスレーブユニット２に異常があると判定したとき（Ｓ６）、その点検結果をパネル３等に出力する（Ｓ７）。
【００２６】
スレーブユニット２は、マスターユニット１から点検起動指令Ａ又はＢを受信したとき、点検処理を行う（Ｓ１１，Ｓ１２）。この点検処理で異常があるとき（Ｓ１３）、点検指令がＡか否かをチェックし（Ｓ１４）、点検指令Ａの場合には異常部位出力処理（Ｓ１５）することなく、異常のアンサーをマスターユニット１に戻す（Ｓ１６）。点検指令がＡでないとき、つまり点検指令がＢの場合、異常部位出力を行い（Ｓ１５）、異常のアンサーをマスターユニット１に戻す（Ｓ１６）。
【００２７】
【発明の効果】
以上のとおり、本発明によれば、マスターユニットからスレーブユニットへの点検起動指令として、スレーブユニットに異常部位を表示させる点検起動指令Ａと、異常部位を表示させない点検起動指令Ｂの２種類の指令Ａ，Ｂを使い分けて送信し、スレーブユニットでは異常がある場合にも指令Ａでは異常部位を表示せず、指令Ｂの場合に異常部位を表示するようにしたため、点検中断が発生した場合の両ユニット間の点検結果の不整合を無くすことができる。
【図面の簡単な説明】
【図１】本発明の実施形態を示すユニット間の信号ライン構成。
【図２】実施形態におけるスレーブユニット側が点検異常の場合のタイムチャート。
【図３】実施形態における点検処理フローチャート。
【図４】保護継電システムにおける点検処理を説明する構成図。
【図５】正常時の点検タイムチャート。
【図６】マスターユニットが点検異常の場合のタイムチャート。
【図７】スレーブユニットが点検異常の場合のタイムチャート。
【図８】従来のユニット間の信号ライン構成。
【符号の説明】
１…マスターユニット
２…スレーブユニット
３…パネル
【図１】
0003728960.tif 000002
【図２】
0003728960.tif 000003
【図３】
0003728960.tif 000004
【図４】
0003728960.tif 000005
【図５】
0003728960.tif 000006
【図６】
0003728960.tif 000007
【図７】
0003728960.tif 000008
【図８】
0003728960.tif 000009